(57)【要約】【課題】  便利に操作できる接続装置を備えるケーブル管理アセンブリを提供すること。【解決手段】  ケーブル管理アセンブリは接続装置を含む。接続装置は第１の部分及び第２の部分を含む。第１の部分は対象物体に取り付けられるように構成されている。第２の部分は、第１の部分を対象物体から外すために操作が容易な位置に配置される。【選択図】  図４
2020061540.tif 000002
【特許請求の範囲】
【請求項１】
第１のケーブル管理アームと、
第２のケーブル管理アームであって、該第２のケーブル管理アーム及び前記第１のケーブル管理アームはそれぞれ第１の端部及び第２の端部を含み、前記第１のケーブル管理アームの第１の端部と該第２のケーブル管理アームの第１の端部とは可動に互いに接続されている、第２のケーブル管理アームと、
少なくとも１つの支持部材と、
を含むケーブル管理アセンブリであって、
前記少なくとも１つの支持部材、前記第１のケーブル管理アームの第２の端部及び前記第２のケーブル管理アームの第２の端部のうちの１つには接続装置が設けられ、
前記接続装置は前部及び後部を含み、該前部は第１の対象物体に取り外し可能に接続されるように構成され、該後部は該前部を該第１の対象物体から外すために操作されるように構成されている、ケーブル管理アセンブリ。
【請求項２】
前記少なくとも１つの支持部材、前記第１のケーブル管理アームの第２の端部及び前記第２のケーブル管理アームの第２の端部のうちの残りの２つには、第２の対象物体及び第３の対象物体にそれぞれ取り外し可能に接続されるように構成された第１の取り付け部材及び第２の取り付け部材がそれぞれ設けられ、
前記第１の対象物体、前記第２の対象物体及び前記第３の対象物体はレールである、請求項１に記載のケーブル管理アセンブリ。
【請求項３】
前記接続装置の前部には係合部材が設けられ、該前部は該係合部材を通じて前記第１の対象物体に取り外し可能に接続され、
前記接続装置は前記係合部材に接続される操作部材を含み、該操作部材は前記接続装置の後部に隣接して配置される操作部を有し、
前記接続装置はベースを通じて前記少なくとも１つの支持部材に配置され、
前記ベースはベース部及び壁部を含み、該ベース部は前記少なくとも１つの支持部材に接続されるともに前記少なくとも１つの支持部材の一端に隣接し、該壁部は該ベース部に対して垂直に配置され、
前記接続装置は前記壁部に枢結される、請求項１に記載のケーブル管理アセンブリ。
【請求項４】
前記接続装置は取り付けベースをさらに含み、前記操作部材は該取り付けベースに可動に取り付けられ、前記操作部材は該取り付けベースに対して長手方向に移動するように前記操作部を通じて操作されるように構成され、
前記操作部材の操作部は前記接続装置の前部から離れる方向に沿って前記接続装置の後部を越えて延びる、請求項３に記載のケーブル管理アセンブリ。
【請求項５】
接続装置を含むケーブル管理アセンブリであって、
前記接続装置は第１の部分と、該第１の部分から離れた第２の部分とを含み、該第１の部分は第１の対象物体と係合するように構成され、該第２の部分は該第１の部分を前記第１の対象物体から外すために操作されるよう構成されている、ケーブル管理アセンブリ。
【請求項６】
前記第１の部分及び前記第２の部分は前記接続装置の前部及び後部であり、前記第１の対象物体はスライドレールアセンブリのレールである、請求項５に記載のケーブル管理アセンブリ。
【請求項７】
第１のケーブル管理アーム、第２のケーブル管理アーム及び少なくとも１つの支持部材をさらに含み、
前記第１のケーブル管理アーム及び前記第２のケーブル管理アームのそれぞれは第１の端部及び第２の端部を含み、前記第１のケーブル管理アームの第１の端部と前記第２のケーブル管理アームの第１の端部とは互いに枢結され、
前記少なくとも１つの支持部材は前記第１のケーブル管理アーム及び前記第２のケーブル管理アームのうちの一方を支持するように構成され、前記少なくとも１つの支持部材には前記接続装置が設けられ、
前記第１のケーブル管理アームの第２の端部及び前記第２のケーブル管理アームの第２の端部には、第２の対象物体及び第３の対象物体に接続されるように構成された第１の取り付け部材及び第２の取り付け部材がそれぞれ設けられ、
前記第２の対象物体及び前記第３の対象物体は別のスライドレールアセンブリの２つのレールであり、該２つのレールは互いに長手方向に相対移動できる、請求項６に記載のケーブル管理アセンブリ。
【請求項８】
前記接続装置の第１の部分には係合部材が設けられ、該第１の部分は該係合部材を通じて前記第１の対象物体に取り外し可能に接続されるように構成され、
前記接続装置は前記係合部材に接続される操作部材をさらに含み、該操作部材は前記接続装置の第２の部分に配置される操作部を有し、
前記接続装置はベースを通じて前記少なくとも１つの支持部材に配置され、該ベースはベース部及び壁部を含み、該ベース部は前記少なくとも１つの支持部材に接続されるとともに前記少なくとも１つの支持部材の一端に隣接し、該壁部は該ベース部に対して垂直に配置され、前記接続装置は該壁部に対して枢結される、請求項７に記載のケーブル管理アセンブリ。
【請求項９】
第１のスライドレールアセンブリ及び第２のスライドレールアセンブリに適用可能なケーブル管理アセンブリであって、該第１のスライドレールアセンブリ及び該第２のスライドレールアセンブリのそれぞれは第１のレール及び第２のレールを含み、該第１のレールはラックに取り付けられ、該第２のレールは該第１のレールに対して長手方向に可動であり、当該ケーブル管理アセンブリは、
第１のケーブル管理アームと、
第２のケーブル管理アームであって、該第２のケーブル管理アーム及び前記第１のケーブル管理アームのそれぞれは第１の端部及び第２の端部を含み、前記第１のケーブル管理アームの第１の端部と該第２のケーブル管理アームの第１の端部とは互いに枢結され、前記第１のケーブル管理アームの第２の端部及び該第２のケーブル管理アームの第２の端部は、前記第１のスライドレールアセンブリの第１のレール及び第２のレールにそれぞれ取り外し可能に接続されるように構成された第１の取り付け部材及び第２の取り付け部材がそれぞれ設けられる、第２のケーブル管理アームと、
接続装置を備える少なくとも１つの支持部材と、
を含み、
前記接続装置は前部及び後部を含み、該前部は前記第２のスライドレールアセンブリの第１のレールに取り外し可能に接続されるように構成され、該後部は該前部を前記第２のスライドレールアセンブリの第１のレールから外すために操作されるように構成されている、ケーブル管理アセンブリ。
【請求項１０】
前記少なくとも１つの支持部材は前記第１のケーブル管理アーム及び前記第２のケーブル管理アームを支持するように構成され、前記接続装置の前部には係合部材が設けられ、該前部は該係合部材を通じて前記第２のスライドレールアセンブリの第１のレールに取り外し可能に接続されるように構成され、
前記接続装置は前記係合部材に接続される操作部材を含み、該操作部材は前記接続装置の後部に設けられる接続部を有し、
前記接続装置はベースを通じて前記少なくとも１つの支持部材に配置され、該ベースはベース部及び壁部を含み、該ベース部は前記少なくとも１つの支持部材に接続されるとともに前記少なくとも１つの支持部材の一端に隣接し、該壁部は該ベース部に対して垂直に配置され、前記接続装置は該壁部に配置され、
前記接続装置は取り付けベースをさらに含み、前記操作部材は該取り付けベースに可動に取り付けられ、前記操作部材は該操作部を通じて前記取り付けベースに対して長手方向に移動するように構成されている、請求項９に記載のケーブル管理アセンブリ。
【発明の詳細な説明】
【技術分野】
【０００１】
本発明はケーブル管理機構に関し、より具体的にはケーブルを支持可能なケーブル管理アセンブリに関する。
【背景技術】
【０００２】
図１に示すように、所定の規格の高さに従ってラック１０２の上から下に複数のスライドレールアセンブリ１００が配置されている。各スライドレールアセンブリ１００は一般に第１のレール１０４と、第１のレール１０４に対して長手方向に可動な第２のレール１０６とを含む。第１のレール１０４は、ラック１０２の第１のポスト１０２ａ及び第２のポスト１０２ｂに取り付けられている。第２のレール１０６は電子機器等の保持物体１０８を保持するように構成されている。ケーブル管理アセンブリ１１０は通常各スライドレールアセンブリ１００の後ろに配置される。ケーブル管理アセンブリは保持物体１０８の後ろで電気ケーブル１１２を支持及び管理するように構成されている。
【発明の概要】
【発明が解決しようとする課題】
【０００３】
一般に、各ケーブル管理アセンブリ１１０は少なくとも１つの接続機構１１４を通じて対応する対象物体（例えば、第１のレール１０４、第２のレール１０６、保持物体１０８又は第２のポスト１０２ｂ）に取り外し可能に接続される。接続機構１１４の操作部材１１６の操作部１１６ａは接続機構１１４の側部に設けられているため、空間が狭い等といった場合にユーザーは容易に操作部１１６ａを通じてケーブル管理アセンブリ１１０を対象物体から取り外すことができないことが時にある。設置の間、キャビネットの４つの角には支持のためにポストが設けられ、各ポスト１０２ａ、１０２ｂのそれぞれの側部には通常側壁１２０が設けられるため、側壁１２０と接続機構１１４との間の空間Ｄが狭く、ためにケーブル管理アセンブリ１１０の端部を外して保持物体１０８の後ろの空間をさらに空けて保持物体１０８（例えば電子機器）の後ろの電子部品のメンテナンス又は交換をし易くするために接続機構１１４の操作部１１６ａを押す際、ユーザーにとって便利な形で空間Ｄ内に手を長手距離Ｌ伸ばすことができない。
【０００４】
したがって、便利に操作できる操作部を有するケーブル管理アセンブリの接続装置を開発することが重要である。
【０００５】
本発明は、便利に操作できる接続装置を備えるケーブル管理アセンブリに関する。
【課題を解決するための手段】
【０００６】
本発明の一実施形態によれば、ケーブル管理アセンブリは第１のケーブル管理アームと、第２のケーブル管理アームと、少なくとも１つの支持部材とを含む。第２のケーブル管理アーム及び第１のケーブル管理アームはそれぞれ第１の端部及び第２の端部を含む。第１のケーブル管理アームの第１の端部と第２のケーブル管理アームの第１の端部とは可動に互いに接続されている。少なくとも１つの支持部材、第１のケーブル管理アームの第２の端部及び第２のケーブル管理アームの第２の端部のうちの１つには接続装置が設けられる。接続装置は前部及び後部を含む。前部は第１の対象物体に取り外し可能に接続されるように構成され、後部は該前部を該第１の対象物体から外すために操作されるように構成されている。
【０００７】
本発明の別の実施形態によれば、ケーブル管理アセンブリは接続装置を含む。接続装置は第１の部分と、該第１の部分から離れた第２の部分とを含み、該第１の部分は第１の対象物体と係合するように構成され、該第２の部分は該第１の部分を第１の対象物体から外すために操作されるよう構成されている。
【０００８】
本発明の別の実施形態によれば、ケーブル管理アセンブリは第１のスライドレールアセンブリ及び第２のスライドレールアセンブリに適用可能である。第１のスライドレールアセンブリ及び第２のスライドレールアセンブリのそれぞれは第１のレール及び第２のレールを含む。第１のレールはラックに取り付けられ、第２のレールは第１のレールに対して長手方向に可動である。ケーブル管理アセンブリは、第１のケーブル管理アームと、第２のケーブル管理アームと、少なくとも１つの支持部材とを含む。第２のケーブル管理アーム及び第１のケーブル管理アームのそれぞれは第１の端部及び第２の端部を含む。第１のケーブル管理アームの第１の端部と該第２のケーブル管理アームの第１の端部とは互いに枢結される。第１のケーブル管理アームの第２の端部及び該第２のケーブル管理アームの第２の端部は、第１のスライドレールアセンブリの第１のレール及び第２のレールにそれぞれ取り外し可能に接続されるように構成された第１の取り付け部材及び第２の取り付け部材がそれぞれ設けられる。少なくとも１つの支持部材は接続装置を備える。接続装置は前部及び後部を含む。前部は第２のスライドレールアセンブリの第１のレールに取り外し可能に接続されるように構成され、該後部は該前部を第２のスライドレールアセンブリの第１のレールから外すために操作されるように構成されている。
【０００９】
様々な図面に図示する下記の好ましい実施形態の詳細な説明を読み終えた後、本発明の上記の目的及び他の目的が当業者に間違いなく明らかになる。
【図面の簡単な説明】
【００１０】
【図１】図１は、ラックシステムに適用された、先行技術のケーブル管理アセンブリを示す図である。
【図２】図２は、本発明の一実施形態に係る、ラックシステムに適用された第１の状態にあるケーブル管理アセンブリを示す図である。
【図３】図３は、本発明の一実施形態に係る、ラックシステムに適用された第２の状態にあるケーブル管理アセンブリを示す図である。
【図４】図４は、本発明の一実施形態に係る、対象物体に接続されるように構成されたケーブル管理アセンブリの接続装置の分解図である。
【図５】図５は、本発明の一実施形態に係る、対象物体に接続されるように構成されたケーブル管理装置の接続装置を所定の視角から示す図である。
【図６】図６は、本発明の一実施形態に係る、対象物体に接続されるように構成されたケーブル管理装置の接続装置を別の視角から示す図である。
【図７】図７は、図６の領域Ａの拡大図である。
【図８】図８は、本発明の一実施形態に係る、ラックシステムに適用された第１の状態にあるケーブル管理アセンブリを示す図である。
【図９】図９は、操作される前の接続装置を示すための図８の領域Ａの拡大図である。
【図１０】図１０は、本発明の一実施形態に係る、ラックシステムに適用された第１の状態にあるケーブル管理アセンブリを示す図である。
【図１１】図１１は、操作された後の接続装置を示すための図１０の領域Ａの拡大図である。
【図１２】図１２は、本発明の第２の実施形態に係るケーブル管理アセンブリの接続装置を示す図である。
【発明を実施するための形態】
【００１１】
図２に示すように、ラックシステムにおいて、ラック２２（又はキャビネット）は複数のポスト、例えば一対の前側ポスト２２ａ及び一対の後ろ側ポスト２２ｂを含む。一般に、ラック２２は複数の壁、例えばラック２２の両側にそれぞれ設けられる第１の壁２４及び第２の壁２６を備える。加えて、ラック２２の前側及び後ろ側のそれぞれにはドアパネルが設けられる。本実施形態では、ラック２２が開いた状態になるようにドアパネルは取り外されている。
【００１２】
さらに、ラックシステムは上下に配置される複数対のスライドレールアセンブリを含む。本実施形態では、ラックシステムは３対のスライドレールアセンブリを含む。各対のスライドレールアセンブリは第１のスライドレールアセンブリ２８ａ及び第２のスライドレールアセンブリ２８ｂを含む（視角の関係から、図２においてはスライドレールアセンブリ２８ａは一番上のもののみを示す）。各スライドレールアセンブリは第１のレール３０及び第２のレール３２を含む。第１のレール３０は第１のブラケット３４及び第２のブラケット３６を通じてそれぞれ前側ポスト２２ａ及び後ろ側ポスト２２ｂに取り付けられている。他方、第２のレール３２は第１のレール３０に対して長手方向に可動であり、第２のレール３２は電子機器、引き出し等の保持物体３８を保持するように構成されている。本実施形態では、保持物体３８は電子機器ある。保持物体３８は、第２のレール３２を通じてラック２２の外側からラック２２内に押し込んで容易に引っ込めることができる。各スライドレールアセンブリの第２のレール３２は保持物体３８を保持するように構成されているため、対応するケーブル管理アセンブリ４０は保持物体３８の後ろ側に設けられている。
【００１３】
図３に示すように、ケーブル管理アセンブリ４０は第１のスライドレールアセンブリ２８ａ及び第２のスライドレールアセンブリ２８ｂに適用できる。第１のスライドレールアセンブリ２８ａ及び第２のスライドレールアセンブリ２８ｂのそれぞれは第１のレール３０及び第２のレール３２を含む。第１のスライドレールアセンブリ２８ａ及び第２のスライドレールアセンブリ２８ｂのそれぞれは、第１のレール３０と第２のレール３２との間で可動に取り付けられる第３のレール４２を含むことが好ましい。第３のレール４２は第２のレール３２が第１のレール３０に対して引っ込め位置から第１の方向Ｄ１に沿って動く移動距離伸長するように構成されている。第２のレール３２は、第１のレール３０に対して伸長位置から引っ込め位置（例えば、図２に示すスライドレールアセンブリの状態）に第２の方向Ｄ２に沿って動かして戻すこともできる。
【００１４】
ケーブル管理アセンブリ４０は第１のケーブル管理アーム４４、第２のケーブル管理アーム４６及び少なくとも１つの支持部材４８を含む。第１のケーブル管理アーム４４及び第２のケーブル管理アーム４６のそれぞれは、複数のケーブル管理部４７を含む。複数のケーブル管理部４７は、保持物体３８の後ろ側でケーブル３９を管理するように構成されている。ケーブル管理部４７は、ケーブル管理アーム４４、４６に取り付けられる追加の部品であってもよいし、ケ−ブル管理部４７はケーブル管理アーム４４、４６と一体形成されてもよいし、ケーブル管理部４７はケーブル管理アーム４４、４６に結び付けられるストラップ又はロープであってもよいが、本発明はこのような構成に限定されない。
【００１５】
第２のケーブル管理アーム４６及び第１のケーブル管理アーム４４のそれぞれは、第１の端部５０及び第２の端部５２を含む。第１のケーブル管理アーム４４及び第２のケーブル管理アーム４６の第１の端部５０は互いに可動に接続されている。本実施形態では、第１のケーブル管理アーム４４の第１の端部５０及び第２のケーブル管理アーム４６の第１の端部５０は、接続ベース５３を通じて互いに枢結されている。あるいは、他の実施形態では、第１のケーブル管理アーム４４の第１の端部５０及び第２のケーブル管理アーム４６の第１の端部５０は直接互いに枢結され得るが、本発明はこのような構成に限定されない。
【００１６】
少なくとも１つの支持部材４８は第１のケーブル管理アーム４４及び第２のケーブル管理アーム４６のうちの少なくとも一方を支持するように構成されている。例えば、少なくとも１つの支持部材４８は第１のケーブル管理アーム４４及び第２のケーブル管理アーム４６の底部を支持するように構成されている。さらに、少なくとも１つの支持部材４８は１つの支持ロッド又は２つの伸縮式支持ロッドを含むことができるが、本発明は係る構成に限定されない。
【００１７】
少なくとも１つの支持部材４８、第１のケーブル管理アーム４４の第２の端部５２及び第２のケーブル管理アーム４６の第２の端部５２のうちの１つには接続装置５４が設けられる。本実施形態では、少なくとも１つの支持部材４８に接続装置５４が設けられる。他方、少なくとも１つの支持部材４８、第１のケーブル管理アーム４４の第２の端部５２及び第２のケーブル管理アーム４６の第２の端部５２のうちの他の２つには第１の取り付け部材５６及び第２の取り付け部材５８がそれぞれ設けられる。本実施形態では、第１のケーブル管理アーム４４の第２の端部５２及び第２のケーブル管理アーム４６の第２の端部５２にそれぞれ第１の取り付け部材５６及び第２の取り付け部材５８が設けられる。
【００１８】
さらに、第１のケーブル管理アーム４４の第２の端部５２は、第１の取り付け部材５６を通じて第１のスライドレールアセンブリ２８ａの第１のレール３０の後部３０ａに取り外し可能に接続されるように構成されている。例えば、第１のスライドレールアセンブリ２８ａの第１のレール３０の後部３０ａは、第１の取り付け部材５６に取り外し可能に接続されるように構成された接続部を有する。第１の取り付け部材５６は、挿入、係合又は締結により接続部に取り外し可能に接続できるが、本発明は係る構成に限定されない。他方、第２のケーブル管理アーム４６の第２の端部５２は、第２の取り付け部材５８を通じて第１のスライドレールアセンブリ２８ａの第２のレール３２の後部３２ａに取り外し可能に接続されるように構成されている。例えば、第１のスライドレールアセンブリ２８ａの第２のレール３２の後部３２ａは第２の取り付け部材５８に取り外し可能に接続されるように構成された接続部を有する。第２の取り付け部材５８は挿入、係合又は締結により接続部に取り外し可能に接続できるが、本発明は係る構成に限定されない。
【００１９】
図４に示すように、接続装置５４は第１の部分５４ａ及び第２の部分５４ｂを含む。第２の部分５４ｂは第１の部分５４ａから離れている。本発明では、第１の部分５４ａは前部であり、第２の部分５４ｂは後部である。さらに、第１の部分５４ａは第２のスライドレールアセンブリ２８ｂの第１のレール３０の後部に取り外し可能に接続されるように構成され、第２の部分５４ｂは、第１の部分５４ａを第２のスライドレールアセンブリ２８ｂの第１のレール３０から外すために操作されるように構成されている。
【００２０】
具体的には、図４及び図５に示すように、接続装置５４は係合部材６０、操作部材６２及び取り付けベース６４をさらに含む。第１の部分５４ａ及び第２の部分５４ｂは取り付けベース６４に配置される。
【００２１】
係合部材６０は接続装置５４の第１の部分５４ａに配置される。第１の部分５４ａは、係合部材６０を通じて第２のスライドレールアセンブリ２８ｂの第１のレール３０の後部の接続区画６５に取り外し可能に接続されることが好ましい。係合部材６０は、弾性部６０ａ及び第１の構造６０ｂを含むことが好ましい。第１の構造６０ｂは弾性部６０ａに隣接して配置され、第１の構造６０ｂは接続区画６５の第２の構造６５ａに係合するように構成されている（図６及び図７も参照されたい）。第１の構造６０ｂ及び第２の構造６５ａは凹（孔）構造及び凸構造の組み合わせであるが、本発明は係る構成に限定されない。本実施形態では、第１の構造６０ｂは突出したフックであり、第２の構造６５ａは孔である。
【００２２】
操作部材６２は係合部材６０に接続されている。操作部材６２は、接続装置５４の第２の部分５４ｂに隣接して配置される操作部６３を有する。操作部６３は、接続装置５４の第１の部分５４ａから離れる方向（例えば第２の方向Ｄ２）に沿って接続装置５４の第２の部分５４ｂを越えて延びていることが好ましい。接続装置５４は、ベース６６を通じて少なくとも１つの支持部材４８に配置されることが好ましい。ベース６６はベース部６６ａ及び壁部６６ｂを含む。ベース部６６ａは少なくとも１つの支持部材４８に接続され、少なくとも１つの支持部材４８の一端４８ａに隣接する。壁部６６ｂはベース部６６ａに対して垂直に配置されている。接続装置５４は壁部６６ｂに配置される。例えば、接続装置５４は、第１のシャフト部材６８を通じて壁部６６ｂに対して枢結される。接続装置５４の取り付けベース６４はベース６６の壁部６６ｂに枢結され、取り付けベース６４は第１のベース部６４ａ、第２のベース部６４ｂ及び第１のベース部６４ａと第２のベース部６４ｂとの間に接続される屈曲部６４ｃを含むことが好ましい。屈曲部６４ｃは貫通孔Ｈを有する。他方、操作部材６２は取り付けベース６４に可動に取り付けられる。例えば、取り付けベース６４はガイド部７０を備え、操作部材６２はガイド部７０を通じて取り付けベース６４に対して可動である。本実施形態では、取り付けベース６４はガイド部７０を含み、ガイド部７０は長手通路であり、操作部材６２はガイド部７０を通じて取り付けベース６４に対して長手方向に移動できる。操作部材６２は取り付けベース６４の屈曲部６４ｃの貫通孔Ｈを貫通するように構成され、操作部材６２は取り付けベース６４の第１のベース部６４ａ及び第２のベース部６４ｂにそれぞれ対応する第１の延在部６２ａ及び第２の延在部６２ｂを含むことが好ましい。操作部材６２の第１の延在部６２ａ及び第２の延在部６２ｂは第１の長手横長孔７２ａ及び第２の長手横長孔７２ｂをそれぞれ含むことが好ましい。第１のシャフト部材６８は、第１の長手横長孔７２ａの一部を貫通して取り付けベース６４の第１のベース部６４ａに枢結される。他方、第２のシャフト部材７４は第２の長手横長孔７２ｂの一部を貫通して取り付けベース６４の第２のベース部６４ｂに枢結される。操作部材６２及び係合部材６０のうちの一方はガイド構造を有することが好ましい。本実施形態では、操作部材６２及び係合部材６０は、互いに相互作用する第１のガイド構造７６及び第２のガイド構造７８をそれぞれ有し、第１のガイド構造７６及び第２のガイド構造７８は傾斜面又は弧面を有する。
【００２３】
図８及び図９に示すように、保持物体３８は、第１のスライドレールアセンブリ２８ａ及び第２のスライドレールアセンブリ２８ｂの第２のレール３２を通じて第１のレール３０に対してラック２２内に引っ込められている。接続装置５４とラック２２の第１の壁２４との間の空間Ｓは限定されている（狭い）か、異なる要件のために、空間Ｓは別の関連部品８０によって占有されているか、図２に示すように、ラックシステムにおいて上下に配置された各スライドレールアセンブリは所定の規格の高さを有するため、空間は係る規格の高さによって制限され得る。しかしながら、本実施形態の接続装置５４の操作は前述の状況による影響を受けない。
【００２４】
さらに、接続装置５４の第１の部分５４ａ（例えば前部）が第２のスライドレールアセンブリ２８ｂの第１のレール３０の接続区画６５に接続されており、ユーザーが少なくとも１つの支持部材４８を第２のスライドレールアセンブリ２８ｂの第１のレール３０の接続区画６５から取り外す場合に、ユーザーは接続装置５４の第２の部分５４ｂ（例えば後部）を操作して第１の部分５４ａを第２のスライドレールアセンブリ２８ｂの第１のレール３０の接続区画６５から取り外すことができる。
【００２５】
図９に示すように、接続装置５４の第１の部分５４ａは、係合部材６０の第１の構造６０ｂを通じて第２のスライドレールアセンブリ２８ｂの第１のレール３０の接続区画６５の第２の構造６５ａと係合するように構成されている。他方、操作部材６２は、取り付けベース６４に対して第１の所定の位置Ｐ１に位置する。図１０及び図１１に示すように、ユーザーは操作部６３に力Ｆを加えて、操作部材６２を取り付けベース６４に対して（図９に示す）第１の所定の位置Ｐ１から（図１１に示す）第２の所定の位置Ｐ２へと長手方向に動かすことができる。そのため、第１のガイド構造７６及び第２のガイド構造７８は互いに接触して弾性部６０ａをさらに押し、係合部材６０の第１の構造６０ｂを第２のスライドレールアセンブリ２８ｂの第１のレール３０の接続区画６５の第２の構造６５ａから外す。
【００２６】
本発明の実施形態によれば、接続装置５４により、ユーザーは第２の部分５４ｂ（例えば後部）から第１の部分５４ａ（例えば前部）を制御することができる。したがって、接続装置５４の第２の部分５４ｂは、第１の部分５４ａを対象物体（例えば、第２のスライドレール２８ｂの第１のレール３０）から外すためにユーザーによって操作されるように構成されている。ケーブル管理アセンブリ４０がラック２２に適用された場合、ラック２２の後ろに立つユーザーは接続装置５４の第２の部分５４ｂ（例えば後部）を直接操作して第１の部分５４ａ（例えば前部）を第２のスライドレールアセンブリ２８ｂの第１のレール３０から外すことができる。
【００２７】
図１２は、本発明の別の実施形態に係る接続装置５４を示す図である。具体的には、少なくとも１つの支持部材４８に設けられる第１の実施形態の接続装置５４とは異なり、本実施形態の接続装置５４はケーブル管理アーム２００（例えば第１のケーブル管理アーム又は第２のケーブル管理アーム）に適用される。とりわけ、接続装置５４は取り付け部材（例えば、第１の取り付け部材５６又は第２の取り付け部材５８）を置き換えることができる。したがって、ケーブル管理アーム２００は、接続装置５４を通じて対象物体（例えばレール）に接続できる。そのような構成によれば、ユーザーがケーブル管理アーム２００を対象物体（例えばレール）から外す場合、接続装置５４によりユーザーは、第１の部分５４ａ（例えば前部）を対象物体（例えば、第１のスライドレールアセンブリ２８ａの第１のレール３０）を外すために、第２の部分５４ｂ（例えば後部）から第１の部分５４ａ（例えば前部）を制御できる。
【００２８】
したがって、本発明のケーブル管理装置は以下のように特徴付けられる。
【００２９】
１）ユーザーは接続装置５４の第２の部分５４ｂを操作して第１の部分５４ａを制御できる。
【００３０】
２）空間Ｄが限定されているか又は狭いためユーザーが接続機構１１４の側部から操作部１１６ａを便利な形で押すことができない図１の先行技術とは異なり、本発明の実施形態の接続装置５４は、ユーザーが第２の部分５４ｂ（例えば後部）を操作して第１の部分５４ａを対象物体（例えば、第１のスライドレールアセンブリの第１のレール３０）から外すことができる。
【００３１】
３）空間が限定されているか又は狭すぎるラック２２にケーブル管理アセンブリが適用された場合、ラック２２の後ろに立っているユーザーは接続装置５４の第２の部分５４ｂ（例えば後部）を直接操作して第１の部分５４ａを対象物体から外すことができる。
【００３２】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３３】
２２  ラック
２２ａ  前側ポスト
２２ｂ  後ろ側ポスト
２８  スライドレールアセンブリ
３０  第１のレール
３２  第２のレール
３４  第１のブラケット
３６  第２のブラケット
３８  保持物体
４０  ケーブル管理アセンブリ
４２  第３のレール
４４  第１のケーブル管理アーム
４６  第２のケーブル管理アーム
４７  ケーブル管理部
４８  少なくとも１つの支持部材
５０  第１の端部
５２  第２の端部
５４  接続装置
５６  第１の取り付け部材
５８  第２の取り付け部材
６０  係合部材
６２  操作部材
６４  取り付けベース
６６  ベース
６８  第１のシャフト部材
７０  ガイド部
７４  第２のシャフト部材
７６  第１のガイド構造
７８  第２のガイド構造
【図１】
2020061540.tif 000003
【図２】
2020061540.tif 000004
【図３】
2020061540.tif 000005
【図４】
2020061540.tif 000006
【図５】
2020061540.tif 000007
【図６】
2020061540.tif 000008
【図７】
2020061540.tif 000009
【図８】
2020061540.tif 000010
【図９】
2020061540.tif 000011
【図１０】
2020061540.tif 000012
【図１１】
2020061540.tif 000013
【図１２】
2020061540.tif 000014
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
第１のケーブル管理アームと、
第２のケーブル管理アームであって、該第２のケーブル管理アーム及び前記第１のケーブル管理アームはそれぞれ第１の端部及び第２の端部を含み、前記第１のケーブル管理アームの第１の端部と該第２のケーブル管理アームの第１の端部とは可動に互いに接続されている、第２のケーブル管理アームと、
少なくとも１つの支持部材と、
を含むケーブル管理アセンブリであって、
前記少なくとも１つの支持部材、前記第１のケーブル管理アームの第２の端部及び前記第２のケーブル管理アームの第２の端部のうちの１つには接続装置が設けられ、
前記接続装置は前部及び後部を含み、該前部は第１の対象物体に取り外し可能に接続されるように構成され、該後部は該前部を該第１の対象物体から外すために操作されるように構成されている、ケーブル管理アセンブリ。
【請求項２】
前記少なくとも１つの支持部材、前記第１のケーブル管理アームの第２の端部及び前記第２のケーブル管理アームの第２の端部のうちの残りの２つには、第２の対象物体及び第３の対象物体にそれぞれ取り外し可能に接続されるように構成された第１の取り付け部材及び第２の取り付け部材がそれぞれ設けられ、
前記第１の対象物体、前記第２の対象物体及び前記第３の対象物体はレールである、請求項１に記載のケーブル管理アセンブリ。
【請求項３】
前記接続装置の前部には係合部材が設けられ、該前部は該係合部材を通じて前記第１の対象物体に取り外し可能に接続され、
前記接続装置は前記係合部材に接続される操作部材を含み、該操作部材は前記接続装置の後部に隣接して配置される操作部を有し、
前記接続装置はベースを通じて前記少なくとも１つの支持部材に配置され、
前記ベースはベース部及び壁部を含み、該ベース部は前記少なくとも１つの支持部材に接続されるともに前記少なくとも１つの支持部材の一端に隣接し、該壁部は該ベース部に対して垂直に配置され、
前記接続装置は前記壁部に枢結される、請求項１に記載のケーブル管理アセンブリ。
【請求項４】
前記接続装置は取り付けベースをさらに含み、前記操作部材は該取り付けベースに可動に取り付けられ、前記操作部材は該取り付けベースに対して長手方向に移動するように前記操作部を通じて操作されるように構成され、
前記操作部材の操作部は前記接続装置の前部から離れる方向に沿って前記接続装置の後部を越えて延びる、請求項３に記載のケーブル管理アセンブリ。
【請求項５】
接続装置を含むケーブル管理アセンブリであって、
前記接続装置は第１の部分と、該第１の部分から離れた第２の部分とを含み、該第１の部分は第１の対象物体と係合するように構成され、該第２の部分は該第１の部分を前記第１の対象物体から外すために操作されるよう構成され、
前記第１の部分及び前記第２の部分は前記接続装置の前部及び後部であり、前記第１の対象物体はスライドレールアセンブリのレールである、ケーブル管理アセンブリ。
【請求項６】
第１のケーブル管理アーム、第２のケーブル管理アーム及び少なくとも１つの支持部材をさらに含み、
前記第１のケーブル管理アーム及び前記第２のケーブル管理アームのそれぞれは第１の端部及び第２の端部を含み、前記第１のケーブル管理アームの第１の端部と前記第２のケーブル管理アームの第１の端部とは互いに枢結され、
前記少なくとも１つの支持部材は前記第１のケーブル管理アーム及び前記第２のケーブル管理アームのうちの一方を支持するように構成され、前記少なくとも１つの支持部材には前記接続装置が設けられ、
前記第１のケーブル管理アームの第２の端部及び前記第２のケーブル管理アームの第２の端部には、第２の対象物体及び第３の対象物体に接続されるように構成された第１の取り付け部材及び第２の取り付け部材がそれぞれ設けられ、
前記第２の対象物体及び前記第３の対象物体は別のスライドレールアセンブリの２つのレールであり、該２つのレールは互いに長手方向に相対移動できる、請求項５に記載のケーブル管理アセンブリ。
【請求項７】
前記接続装置の第１の部分には係合部材が設けられ、該第１の部分は該係合部材を通じて前記第１の対象物体に取り外し可能に接続されるように構成され、
前記接続装置は前記係合部材に接続される操作部材をさらに含み、該操作部材は前記接続装置の第２の部分に配置される操作部を有し、
前記接続装置はベースを通じて前記少なくとも１つの支持部材に配置され、該ベースはベース部及び壁部を含み、該ベース部は前記少なくとも１つの支持部材に接続されるとともに前記少なくとも１つの支持部材の一端に隣接し、該壁部は該ベース部に対して垂直に配置され、前記接続装置は該壁部に対して枢結される、請求項６に記載のケーブル管理アセンブリ。
【請求項８】
第１のスライドレールアセンブリ及び第２のスライドレールアセンブリに適用可能なケーブル管理アセンブリであって、該第１のスライドレールアセンブリ及び該第２のスライドレールアセンブリのそれぞれは第１のレール及び第２のレールを含み、該第１のレールはラックに取り付けられ、該第２のレールは該第１のレールに対して長手方向に可動であり、当該ケーブル管理アセンブリは、
第１のケーブル管理アームと、
第２のケーブル管理アームであって、該第２のケーブル管理アーム及び前記第１のケーブル管理アームのそれぞれは第１の端部及び第２の端部を含み、前記第１のケーブル管理アームの第１の端部と該第２のケーブル管理アームの第１の端部とは互いに枢結され、前記第１のケーブル管理アームの第２の端部及び該第２のケーブル管理アームの第２の端部は、前記第１のスライドレールアセンブリの第１のレール及び第２のレールにそれぞれ取り外し可能に接続されるように構成された第１の取り付け部材及び第２の取り付け部材がそれぞれ設けられる、第２のケーブル管理アームと、
接続装置を備える少なくとも１つの支持部材と、
を含み、
前記接続装置は前部及び後部を含み、該前部は前記第２のスライドレールアセンブリの第１のレールに取り外し可能に接続されるように構成され、該後部は該前部を前記第２のスライドレールアセンブリの第１のレールから外すために操作されるように構成されている、ケーブル管理アセンブリ。
【請求項９】
前記少なくとも１つの支持部材は前記第１のケーブル管理アーム及び前記第２のケーブル管理アームを支持するように構成され、前記接続装置の前部には係合部材が設けられ、該前部は該係合部材を通じて前記第２のスライドレールアセンブリの第１のレールに取り外し可能に接続されるように構成され、
前記接続装置は前記係合部材に接続される操作部材を含み、該操作部材は前記接続装置の後部に設けられる接続部を有し、
前記接続装置はベースを通じて前記少なくとも１つの支持部材に配置され、該ベースはベース部及び壁部を含み、該ベース部は前記少なくとも１つの支持部材に接続されるとともに前記少なくとも１つの支持部材の一端に隣接し、該壁部は該ベース部に対して垂直に配置され、前記接続装置は該壁部に配置され、
前記接続装置は取り付けベースをさらに含み、前記操作部材は該取り付けベースに可動に取り付けられ、前記操作部材は該操作部を通じて前記取り付けベースに対して長手方向に移動するように構成されている、請求項８に記載のケーブル管理アセンブリ。
【手続補正２】
【補正対象書類名】明細書
【補正対象項目名】０００３
【補正方法】変更
【補正の内容】
【０００３】
一般に、各ケーブル管理アセンブリ１１０は少なくとも１つの接続機構１１４を通じて対応する対象物体（例えば、第１のレール１０４、第２のレール１０６、保持物体１０８又は第２のポスト１０２ｂ）に取り外し可能に接続される。接続機構１１４の操作部材１１６の操作部１１６ａは接続機構１１４の側部に設けられているため、空間が狭い等といった場合にユーザーは容易に操作部１１６ａを通じてケーブル管理アセンブリ１１０を対象物体から取り外すことができないことが時にある。設置の間、キャビネットの４つの角には支持のためにポストが設けられ、各ポスト１０２ａ、１０２ｂのそれぞれの側部には通常側壁１２０が設けられるため、側壁１２０と接続機構１１４との間の空間Ｄが狭い。そのためにケーブル管理アセンブリ１１０の端部を外して保持物体１０８の後ろの空間をさらに空けて保持物体１０８（例えば電子機器）の後ろの電子部品のメンテナンス又は交換をし易くするために接続機構１１４の操作部１１６ａを押す際、ユーザーにとって便利な形で空間Ｄ内に手を長手距離Ｌ伸ばすことができない。
【手続補正３】
【補正対象書類名】明細書
【補正対象項目名】００１２
【補正方法】変更
【補正の内容】
【００１２】
さらに、ラックシステムは上下に配置される複数対のスライドレールアセンブリを含む。本実施形態では、ラックシステムは３対のスライドレールアセンブリを含む。各対のスライドレールアセンブリは第１のスライドレールアセンブリ２８ａ及び第２のスライドレールアセンブリ２８ｂを含む（視角の関係から、図２においてはスライドレールアセンブリ２８ａは一番上のもののみを示す）。各スライドレールアセンブリは第１のレール３０及び第２のレール３２を含む。第１のレール３０は第１のブラケット３４及び第２のブラケット３６を通じてそれぞれ前側ポスト２２ａ及び後ろ側ポスト２２ｂに取り付けられている。他方、第２のレール３２は第１のレール３０に対して長手方向に可動であり、第２のレール３２は電子機器、引き出し等の保持物体３８を保持するように構成されている。本実施形態では、保持物体３８は電子機器である。保持物体３８は、第２のレール３２を通じてラック２２の外側からラック２２内に押し込んで容易に引っ込めることができる。各スライドレールアセンブリの第２のレール３２は保持物体３８を保持するように構成されているため、対応するケーブル管理アセンブリ４０は保持物体３８の後ろ側に設けられている。